(57)【特許請求の範囲】
【請求項１】
信号送信方法であって、
スモールセルが前記スモールセルの現在の状態に基づいて、対応する送信モードで発見（ＤＳ）信号を送信することを含み、
前記送信モードは、送信周期および送信パターンを含み、
前記送信パターンは、前記送信周期内にＤＳ信号を送信するサブフレーム情報を含み、
前記サブフレーム情報は、第１のサブフレーム個数Ｍ、第２のサブフレーム個数Ｎ及び第３のサブフレーム個数Ｐを含み、
前記送信周期が前記第１のサブフレーム個数Ｍのサブフレームである場合、前記第１のサブフレーム個数Ｍのサブフレームの最初の前記第２のサブフレーム個数Ｎのサブフレームで前記第３のサブフレーム個数Ｐのサブフレームを間隔としてＤＳ信号を送信し、前記第３のサブフレーム個数Ｐが前記第２のサブフレーム個数Ｎより小さく、前記第２のサブフレーム個数Ｎが前記第１のサブフレーム個数Ｍより小さい、信号送信方法。
【請求項２】
前記送信パターンは、ＤＳ信号を搬送する搬送波情報を更に含み、
前記搬送波情報は、ＤＳ信号を搬送するリソース要素（ＲＥ）と、リソースブロック（ＲＢ）の数および位置情報とを含むことを特徴とする
請求項１に記載の方法。
【請求項３】
前記スモールセルのＤＳ信号の送信モードが更新された後、前記スモールセルが活性化状態にある場合、更新されたＤＳ信号の送信モードをマクロセル、または前記スモールセルおよび／または前記スモールセルの隣セルにより端末と前記スモールセルの他の隣セルに通知することと、前記スモールセルが非活性化状態にある場合、更新されたＤＳ信号の送信モードをマクロセル、または前記スモールセルの隣セルにより端末と前記スモールセルの他の隣セルに通知することとをさらに含む、
請求項１に記載の方法。
【請求項４】
前記スモールセルが活性化状態にある場合、ＤＳ信号を送信しない、または短周期および対応する送信パターンでＤＳ信号を送信し、または長周期および対応する送信パターンでＤＳ信号を送信することをさらに含み、
前記スモールセルが前記スモールセルの現在の状態に基づいて、対応する送信モードでＤＳ信号を送信することは、
所定期間に現在前記スモールセル内にアクセスした端末があることを確定した場合、前記スモールセルに活性化状態を維持させ、または現在前記スモールセル内にアクセスした端末がないが、所定期間に端末が複数回アクセスしたことがあることを確定した場合、前記スモールセルに活性化状態を維持させることを含むことを特徴とする
請求項１〜３のいずれか１項に記載の方法。
【請求項５】
前記スモールセルが休眠状態にある場合、長周期および対応する送信パターンでＤＳ信号を送信することをさらに含むことを特徴とする
請求項１〜３のいずれか１項に記載の方法。
【請求項６】
前記スモールセルが前記スモールセルの現在の状態に基づいて、対応する送信モードでＤＳ信号を送信することは、
前記スモールセルが活性化状態から浅休眠状態に入る場合、短周期および対応する送信パターンでＤＳ信号を送信することを含み、
前記スモールセルが前記スモールセルの現在の状態に基づいて、対応する送信モードでＤＳ信号を送信することは、
前記スモールセルが浅休眠状態または活性化状態から深休眠状態に入る場合、長周期および対応する送信パターンでＤＳ信号を送信することを含むことを特徴とする
請求項１〜３のいずれか１項に記載の方法。
【請求項７】
前記スモールセルが深休眠状態に入った後、端末から報告されたＤＳ信号発見および測定情報を取得した場合、前記スモールセルを深休眠状態から浅休眠状態に変更させ、短周期および対応する送信パターンでＤＳ信号を送信することをさらに含むことを特徴とする
請求項１〜６のいずれか１項に記載の方法。
【請求項８】
前記スモールセルが深休眠状態から浅休眠状態に変更した後、所定数の短周期内に他の端末のＤＳの測定報告情報を受信したまたは受信しない場合、前記スモールセルを活性化するかどうかを確定し、前記スモールセルを活性化することを確定した場合、ＤＳ信号を送信しない、または短周期および対応する送信パターンでＤＳ信号を送信し、または長周期および対応する送信パターンでＤＳ信号を送信することをさらに含むことを特徴とする
請求項１〜３のいずれか１項に記載の方法。
【請求項９】
前記スモールセルが活性化状態にある場合、端末から報告された測定情報に基づいて、前記スモールセルのカバレッジエリアにおける端末に対してサービススケジューリングおよび干渉協調を行うことをさらに含むことを特徴とする
請求項８に記載の方法。
【請求項１０】
信号送信装置であって、
スモールセルの現在の状態に基づいて、対応する送信モードで発見（ＤＳ）信号を送信するように構成される送信ユニットを含み、
前記送信モードは、送信周期および送信パターンを含み、前記送信パターンは、前記送信周期内にＤＳ信号を送信するサブフレーム情報を含み、
前記サブフレーム情報は、第１のサブフレーム個数Ｍ、第２のサブフレーム個数Ｎ及び第３のサブフレーム個数Ｐを含み、
前記送信ユニットは、前記送信周期が前記第１のサブフレーム個数Ｍのサブフレームである場合、前記第１のサブフレーム個数Ｍのサブフレームの最初の前記第２のサブフレーム個数Ｎのサブフレームで前記第３のサブフレーム個数Ｐのサブフレームを間隔としてＤＳ信号を送信するように構成され、前記第３のサブフレーム個数Ｐが前記第２のサブフレーム個数Ｎより小さく、前記第２のサブフレーム個数Ｎが前記第１のサブフレーム個数Ｍより小さい、信号送信装置。
【請求項１１】
前記送信パターンは、ＤＳ信号を搬送する搬送波情報、および、前記送信周期内にＤＳ信号を送信するサブフレーム情報を含み、
前記スモールセルのＤＳ信号の送信モードを更新するように構成される更新ユニットと、
前記スモールセルが活性化状態にある場合、更新されたＤＳ信号の送信モードをマクロセル、または前記スモールセルおよび／または前記スモールセルの隣セルにより端末に通知し、前記スモールセルが非活性化状態にある場合、更新されたＤＳ信号の送信モードをマクロセル、または前記スモールセルの隣セルにより端末に通知するように構成される通知ユニットとをさらに含むことを特徴とする
請求項１０に記載の装置。
【請求項１２】
前記スモールセルが活性化状態にある場合、ＤＳ信号を送信しない、または短周期および対応する送信パターンでＤＳ信号を送信し、または長周期および対応する送信パターンでＤＳ信号を送信するように前記送信ユニットをトリガするように構成される確定ユニットをさらに含み、および／または、
所定期間に現在前記スモールセル内にアクセスした端末があることを確定した場合、前記スモールセルに活性化状態を維持させ、または現在前記スモールセル内にアクセスした端末がないが、所定期間に端末が複数回アクセスしたことがあることを確定した場合、前記スモールセルに活性化状態を維持させるように構成される確定ユニットをさらに含み、および／または、
前記スモールセルが休眠状態にあることを確定した場合、長周期および対応する送信パターンでＤＳ信号を送信するように前記送信ユニットをトリガするように構成される確定ユニットをさらに含み、および／または、
前記スモールセルが活性化状態にある場合、端末から報告された測定情報に基づいて、自身のカバレッジエリアにおける端末に対してサービススケジューリングおよび干渉協調を行うように構成される協調ユニットをさらに含むことを特徴とする
請求項１０または１１に記載の装置。
【請求項１３】
記憶媒体であって、
請求項１〜９のいずれか１項に記載の信号送信方法を実行するためのコンピュータプログラムを記憶している記憶媒体。
【発明の詳細な説明】
【技術分野】
【０００１】
本発明は、セル干渉低減技術に関し、特に信号送信方法、信号送信装置および記憶媒体に関する。
【背景技術】
【０００２】
パーソナルコンピュータ（ＰＣ：Ｐｅｒｓｏｎａｌ  Ｃｏｍｐｕｔｅｒ）サービスおよびスマート端末の広範な普及に伴い、無線通信体験、特に通信レートに対する要求がますます高くなる。長期発展型（ＬＴＥ：Ｌｏｎｇ  Ｔｅｒｍ  Ｅｖｏｌｕｔｉｏｎ）標準およびその後の標準の発展の過程で、ユーザ認知およびシステムスループット、特にホットスポットエリアのスループットを高めるために、ヘテロジニアスネットワーク（ＨｅｔＮｅｔ：Ｈｅｔｅｒｏｇｅｎｅｏｕｓ  Ｎｅｔｗｏｒｋ）のネットワークアーキテクチャを使用し、即ちマクロセルのカバレッジエリアに多くのスモールセル（ｓｍａｌｌ  ｃｅｌｌ）を配置してホットスポットエリアのサービス品質とスループットを高める。
【０００３】
ホットスポットエリアのスモールセルノードの配置数量を増加することは、ネットワーク容量を増やし、カバレッジホールを削減させる効果的なメカニズムであるが、これと同時に、多くの問題、例えば高密度スモールセル応用シーンの相互干渉、切り替えおよびエネルギー消費量などの問題を引き起こす。したがって、システム容量を増加する需要がある場合、スモールセルをオンにすることができ、必要以上の容量増加需要および端末の接続がない場合、スモールセルをオフにして、隣スモールセルに対する干渉と電力消費量を低減させることができる。端末が別のスモールセル（またはマクロセル）に接続された場合、移動性およびネットワーク管理の目的で、他の非サービススモールセルを発見する必要があり、この問題を解決する効果的な方法は、スモールセルノードに発見信号（ＤＳ：Ｄｉｓｃｏｖｅｒｙ  Ｓｉｇｎａｌ）を送信させ、端末にＤＳ信号を受信させて発見および測定情報を報告させることで、スモールセルを活性化するかどうかを決定することである。ＤＳ信号が引き起こす可能性がある干渉および電力消費量を考慮して、ＤＳ送信周期が短すぎることが不可能である。
【０００４】
図１は典型的なスモールセル（ｓｍａｌｌ  ｃｅｌｌ）シーンを示す図である。図１に示すように、２つのスモールセルが同じ周波数で動作し、マクロセルとスモールセルが異なる周波数または同じ周波数で動作する。太実線の円内がマクロセル（Ｍａｃｒｏ  ｃｅｌｌ）のカバレッジエリアであり、細点線の円内がスモールセル１（Ｓｍａｌｌ  ｃｅｌｌ  １）のカバレッジエリアであり、細実線の円内がスモールセル２（Ｓｍａｌｌ  ｃｅｌｌ  ２）のカバレッジエリアである。
【０００５】
状況１：スモールセル１のカバレッジエリアに端末が接続されない場合、スモールセル１は、休眠またはオフ状態にあって、ＤＳ信号を送信することができ、この場合に、端末１と端末２は、いずれもスモールセル２によってサービングされる。端末１と端末２がスモールセル２からスモールセル１の方向へ移動して順次スモールセル１のカバレッジエリアに入る場合、端末１は、先にスモールセル１から送信されたＤＳ信号を検出し、発見および測定情報を報告するが、端末２は、まだスモールセル１から送信されたＤＳ信号を検出しない。したがって、スモールセル１は、自身のカバレッジエリアに端末１があることを知るが、端末２もあることを知らなく、この場合に、端末１と端末２は、依然としてスモールセル２によってサービングされる。この場合に、スモールセル１が活性化されると、スモールセル１のＤＳ信号を発見しない端末２に対して強い干渉を引き起こす可能性がある。一言で言えば、即ち非活性化状態にあるスモールセルの早発活性化が隣セルの端末に対する強い干渉を引き起こす。
【０００６】
状況２：スモールセル１が端末１のために一定の時間サービングした後、端末１がスモールセルのカバレッジエリアから離れ、且つスモールセル１に他のサービス端末がない場合、スモールセル１は、休眠またはオフになる。しかし、端末１がスモールセル１のカバレッジエリアに戻す場合、スモールセル１が再活性化され、端末１が２つのスモールセルの間に頻繁に移動すると、スモールセル１が頻繁に活性化されて、スモールセル１の隣セルに対する干渉が変動することになる。一言で言えば、即ち活性化状態にあるスモールセルの早発休眠により隣セルの端末に対する干渉が変動する。
【発明の概要】
【０００７】
上記の技術的問題を解決するために、本発明の実施形態は、信号送信方法、信号送信装置および記憶媒体を提供し、スモールセルが前記スモールセルの現在の状態に基づいて、対応する送信モードで発見（ＤＳ）信号を送信することで、隣セルに対するスモールセルの干渉を低減させる。
【０００８】
本発明の実施形態の技術的解決手段は、以下のように実現される。
【０００９】
信号送信方法は、
スモールセルが前記スモールセルの現在の状態に基づいて、対応する送信モードで発見（ＤＳ）信号を送信することを含む。
【００１０】
好ましくは、前記送信モードは、送信周期および／または送信パターンを含む。
【００１１】
好ましくは、前記送信パターンは、ＤＳ信号を搬送する搬送波情報、前記送信周期内にＤＳ信号を送信するサブフレーム情報を含む。
【００１２】
好ましくは、前記搬送波情報は、ＤＳ信号を搬送するリソース要素（ＲＥ）、リソースブロック（ＲＢ）の数および位置情報を含む。
【００１３】
好ましくは、前記サブフレーム情報は、各周期におけるＤＳ信号の送信を開始する位置オフセット、各周期におけるＤＳ信号を送信するバースト（ｂｕｒｓｔ）の数、各バーストに含まれているサブフレームの数、隣接するバーストの間の間隔サブフレームの数を含む。
【００１４】
好ましくは、前記方法は、
前記スモールセルのＤＳ信号の送信モードが更新された後、前記スモールセルが活性化状態にある場合、更新されたＤＳ信号の送信モードをマクロセル、または前記スモールセルおよび／または前記スモールセルの隣セルにより端末と隣セルに通知することと、前記スモールセルが非活性化状態にある場合、更新されたＤＳ信号の送信モードをマクロセル、または前記スモールセルの隣セルにより端末と隣セルに通知することとをさらに含む。
【００１５】
好ましくは、前記送信周期がＭ個のサブフレームである場合、前記Ｍ個のサブフレームの最初のＮ個のサブフレームでＰ個のサブフレームを間隔としてＤＳ信号を送信し、ＰがＮより小さく、ＮがＭより小さい。
【００１６】
好ましくは、前記方法は、
前記スモールセルが活性化状態にある場合、ＤＳ信号を送信しない、または短周期および対応する送信パターンでＤＳ信号を送信し、または長周期および対応する送信パターンでＤＳ信号を送信することをさらに含む。
【００１７】
好ましくは、前記スモールセルが前記スモールセルの現在の状態に基づいて、対応する送信モードでＤＳ信号を送信することは、
前記スモールセルに現在端末がアクセスすること、または前記スモールセルに現在端末がアクセスせずに、所定期間に端末が複数回アクセスすることを確定した場合、前記スモールセルに活性化状態を維持させることを含む。
【００１８】
好ましくは、前記方法は、
前記スモールセルが休眠状態にある場合、長周期および対応する送信パターンでＤＳ信号を送信することをさらに含む。
【００１９】
好ましくは、前記スモールセルが前記スモールセルの現在の状態に基づいて、対応する送信モードでＤＳ信号を送信することは、
前記スモールセルが活性化状態から浅休眠状態に入る場合、短周期および対応する送信パターンでＤＳ信号を送信することを含む。
【００２０】
好ましくは、前記スモールセルが前記スモールセルの現在の状態に基づいて、対応する送信モードでＤＳ信号を送信することは、
前記スモールセルが浅休眠状態または活性化状態から深休眠状態に入る場合、長周期および対応する送信パターンでＤＳ信号を送信することを含む。
【００２１】
好ましくは、前記方法は、
前記スモールセルが深休眠状態に入った後、端末から報告されたＤＳ信号発見および測定情報を取得した場合、前記スモールセルを深休眠状態から浅休眠状態に変更させ、短周期および対応する送信パターンでＤＳ信号を送信することをさらに含む。
【００２２】
好ましくは、前記方法は、
前記スモールセルが深休眠状態から浅休眠状態に変更した後、所定数の短周期内に他の端末のＤＳの測定報告情報を受信したまたは受信しない場合、前記スモールセルを活性化するかどうかを確定し、前記スモールセルを活性化することを確定した場合、ＤＳ信号を送信しない、または短周期および対応する送信パターンでＤＳ信号を送信し、または長周期および対応する送信パターンでＤＳ信号を送信することをさらに含む。
【００２３】
好ましくは、前記方法は、
前記スモールセルが活性化状態にある場合、端末から報告された測定情報に基づいて、前記スモールセルのカバレッジエリアにおける端末に対してサービススケジューリングおよび干渉協調を行うことをさらに含む。
【００２４】
信号送信装置は、
スモールセルの現在の状態に基づいて、対応する送信モードで発見（ＤＳ）信号を送信するように構成される送信ユニットを含む。
【００２５】
好ましくは、前記送信モードは、送信周期および／または送信パターンを含む。
【００２６】
好ましくは、前記送信パターンは、ＤＳ信号を搬送する搬送波情報、前記送信周期内にＤＳ信号を送信するサブフレーム情報を含む。
【００２７】
好ましくは、前記装置は、
前記スモールセルのＤＳ信号の送信モードを更新するように構成される更新ユニットと、
前記スモールセルが活性化状態にある場合、更新されたＤＳ信号の送信モードをマクロセル、または前記スモールセルおよび／または前記スモールセルの隣セルにより端末に通知し、前記スモールセルが非活性化状態にある場合、更新されたＤＳ信号の送信モードをマクロセル、または前記スモールセルの隣セルにより端末に通知するように構成される通知ユニットとをさらに含む。
【００２８】
好ましくは、前記装置は、
前記スモールセルが活性化状態にある場合、ＤＳ信号を送信しない、または短周期および対応する送信パターンでＤＳ信号を送信し、または長周期および対応する送信パターンでＤＳ信号を送信するように前記送信ユニットをトリガするように構成される確定ユニットをさらに含む。
【００２９】
または、前記装置は、
前記スモールセルに現在端末がアクセスこと、または前記スモールセルに現在端末がアクセスせずに、所定期間に端末が複数回アクセスすることを確定した場合、前記スモールセルに活性化状態を維持させるように構成される確定ユニットをさらに含む。
【００３０】
または、前記装置は、
前記スモールセルが休眠状態にあることを確定した場合、長周期および対応する送信パターンでＤＳ信号を送信するように前記送信ユニットをトリガするように構成される確定ユニットをさらに含む。
【００３１】
好ましくは、前記装置は、
前記スモールセルが活性化状態にある場合、端末から報告された測定情報に基づいて、自身のカバレッジエリアにおける端末に対してサービススケジューリングおよび干渉協調を行うように構成される協調ユニットをさらに含む。
【００３２】
記憶媒体は、前記信号送信方法を実行するためのコンピュータプログラムを記憶している。
【００３３】
本発明において、スモールセルは、前記スモールセルの現在の状態に基づいて、対応する送信モードで発見信号ＤＳ信号を送信する。前記送信モードは、送信周期および／または送信パターンを含む。前記送信パターンは、ＤＳ信号を搬送する搬送波情報、および前記送信周期内にＤＳ信号を送信するサブフレーム情報を含む。前記スモールセルのＤＳ信号の送信モードが更新された後、前記スモールセルが活性化状態にある場合、更新されたＤＳ信号の送信モードを前記スモールセルにおける端末に通知し、前記スモールセルが非活性化状態にある場合、更新されたＤＳ信号の送信モードを他の活性化状態にあるスモールセルにより他のスモールセルの端末に通知する。本発明は、スモールセルの現在の状態に基づいて発見（ＤＳ）信号の送信モードをリアルタイムに調整することで、隣セルに対するスモールセルの干渉を大幅に低減させ、システムの性能を向上させ、そしてスモールセルのエネルギー消費量を低減させることができる。
【図面の簡単な説明】
【００３４】
【図１】典型的なスモールセル（ｓｍａｌｌ  ｃｅｌｌ）シーンを示す図である。
【図２】本発明に係る信号送信方法のフローチャートである。
【図３】本発明の一つの例の信号送信方法のフローチャートである。
【図４】本発明に係る信号送信装置の構成構造図である。
【発明を実施するための形態】
【００３５】
本発明の目的、技術的解決手段と利点がより明らかになるために、以下に実施形態を挙げて図面を参照して、本発明をさらに詳しく説明する。
【００３６】
図２は本発明に係る信号送信方法のフローチャートである。図２に示すように、本発明に係る信号送信方法は、以下のステップを含む。
【００３７】
ステップ２０１において、スモールセルは、前記スモールセルの現在の状態に基づいて、対応する送信モードで発見信号ＤＳ信号を送信する。前記送信モードは、送信周期および／または送信パターンを含む。
【００３８】
本発明において、送信周期は、短周期と長周期に分けられることができる。前記短周期は、数ミリ秒または数十ミリ秒であってよい。前記長周期は、数百ミリ秒であってよい。ＤＳ信号の送信周期は、スモールセルの現在の状態に依存する。
【００３９】
本発明において、送信パターンは、ＤＳ信号を搬送する搬送波情報、例えばサブ搬送波または搬送波周波数情報、および前記送信周期内にＤＳ信号を送信するサブフレーム情報を含む。例えば、送信周期が１００個のサブフレームである場合、最初の１５個のサブフレームにおいて５個のサブフレームごとに３回に分けてＤＳ信号を送信することができ、他の期間ではＤＳ信号を送信しない。送信周期内に、ＤＳ信号を複数回送信する（ＤＳ信号を１回送信することに対して）ことは、端末がよりタイムリーかつ正確にＤＳ信号を受信して正しくフィードバックすることに貢献することができる。同様に、送信周期内に、複数のＲＢ（少ないＲＢに対して）でＤＳ信号情報を搬送することは、端末がタイムリーかつ正確にＤＳ信号を受信して正しくフィードバックすることに貢献することもできる。短周期と長周期がこの原則に応じて対応する送信パターンを設定することができ、例えば短周期が５個のサブフレームに設定され、そうすると当該周期でＤＳ信号を複数回送信する必要がなく、複数のＲＢで送信することができ、長周期が１００個のサブフレームに設定され、そうすると当該周期でＤＳ信号を複数回送信することができ、複数のＲＢで送信することもできる。送信パターンの形態が多いので、ここでその実現方式を一つずつ説明せずに、以下にも送信パターンを説明しない。
【００４０】
前記スモールセルのＤＳ信号の送信モードが更新された後、前記スモールセルが活性化状態にある場合、更新されたＤＳ信号の送信モードをマクロセル、または前記スモールおよび／または前記スモールセルの隣セルにより端末に通知し、前記スモールセルが非活性化状態にある場合、更新されたＤＳ信号の送信モードをマクロセル、または前記スモールセルの隣セルにより端末に通知する。以下のＤＳ信号送信モード調整に関する内容は、すべて前記通知方式を使用するので、以下に説明を省略する。
【００４１】
スモールセルは、カバレッジエリアにおける端末の接続状況と容量需要などの要因に基づいて休眠状態に入るかどうか、およびどのような休眠状態に入るかどうかを決定し、その後スモールセルの現在の状態に基づいて、対応する送信モードで発見（ＤＳ）信号を送信することができる。
【００４２】
ａ．１つのカウント周期内で、この時にスモールセルに端末が接続されたこと、または、この時にスモールセルに端末が接続されないが、当該周期内で端末が複数回接続されたことをカウントした場合、スモールセルは、休眠状態に入らずに、依然として活性化状態を維持することができる。ＤＳ信号を送信しない、または短周期および対応する送信パターンでＤＳ信号を送信し、または長周期および対応する送信パターンでＤＳ信号を送信することができる。
【００４３】
活性化状態にあるスモールセルがＤＳ信号を送信しない、または長周期でＤＳ信号を送信することは、主に隣セルへの干渉を避け、電力消費量を低減させるためである。活性化状態にあるスモールセルが短周期でＤＳ信号を送信することは、主に、端末が迅速に前記スモールセルを発見してそれに切り替えることが可能となるためである。活性化状態にあるスモールセルがどのようにＤＳ信号を送信するかは、システム需要に依存することができる。
【００４４】
本発明において、前記カウント周期は、ＤＳ信号送信周期に対して長い時間であって、例えばスモールセルのカウント周期が１分であり、この周期内で、この時に端末が接続され、またはこの時に端末が接続されないが、この周期内で端末が複数回（１０回以上）接続され、そうするとスモールセルは、休眠状態に入らない、即ち依然として活性化状態にある。
【００４５】
ｂ．１つのカウント周期内で、スモールセルに端末が少ない回数入ってこのセルのカバレッジエリアから離れることをカウントした場合、スモールセルは、活性化状態から浅休眠状態に入って、ＤＳ信号を送信することができ、ＤＳ周期が短周期に設定され、当該短周期および当該短周期に対応する送信パターンでＤＳ信号を送信し、短周期およびそれに対応する送信パターンが上記の通りである。
【００４６】
本ステップにおいて、浅休眠状態は、活性化状態から休眠状態に入る一定の時間である。
【００４７】
例えば、スモールセルが１分カウントし、この周期内で、端末が２回接続され、且つこの時に端末が接続されない場合、スモールセルは、浅休眠状態に入って、短周期および当該短周期に対応する送信パターンでＤＳ信号を送信する。
【００４８】
ｃ．１つのカウント周期内で、スモールセルにずっと端末が接続されなく、サービスが送信されないことをカウントした場合、スモールセルは、活性化状態または浅休眠状態から深休眠状態に入って、ＤＳ信号を送信することができ、ＤＳ周期が長周期に設定される。
【００４９】
例えばスモールセルが１分カウントし、この周期内で、ずっと端末が接続されなく、サービスが送信されない場合、スモールセルは、深休眠状態に入って、長周期および当該長周期に対応する送信パターンでＤＳ信号を送信する。
【００５０】
ステップ２０２において、スモールセルは、１番目の端末から報告されたＤＳ信号発見および測定情報を受信し、深休眠状態から浅休眠状態に入り、短周期および対応する送信パターンでＤＳ信号を送信し、一時的に活性化されない。
【００５１】
本ステップにおいて、浅休眠状態は、休眠状態から活性化状態へ移行する一定の時間である。
【００５２】
スモールセルが深休眠状態に入った後、マクロセルまたは他の隣接する活性化セルは、１番目の端末から報告されたＤＳ信号発見および測定情報を受信した後、休眠にあるスモールセルのＤＳ周期を短周期に調整して送信し、休眠にあるスモールセルを深休眠状態から浅休眠状態に変更させ、一時的に活性化しない。
【００５３】
端末から報告された情報は、マクロセルまたは隣接する活性化スモールセルによりまず受信され、次に休眠にあるスモールセルに転送されることができ、マクロセルまたは活性化スモールセルによりまず情報を受信し、周期および送信パターン調整命令を直接に休眠にあるスモールセルに送信することもできる。スモールセルの状態（活性化または休眠）は、マクロセル、他の活性化スモールセル、休眠にあるスモールセル自身により調整されることができる。
【００５４】
例えば、端末から報告された情報は、まずマクロセル（ｍａｃｒｏ  ｃｅｌｌ）にフィードバックされ、マクロセルによって休眠にあるスモールセルの状態を決定することができる。
【００５５】
ステップ２０３において、所定数の短周期（１つまたはいくつかのＤＳ短周期）で、スモールセルが他の端末から報告されたＤＳ信号発見および測定情報を受信したまたは受信しない場合、スモールセルは、前記情報に基づいて、活性化するかどうかを決定する。活性化するとＤＳ信号の送信を停止し、または短周期および当該短周期に対応する送信パターン、または長周期および長当該周期に対応する送信パターンでＤＳ信号を送信する。
【００５６】
ステップ２０４において、スモールセルが再活性化された後、端末の測定情報の報告状況に基づいて、端末に対してサービスをスケジューリングおよび送信することができ、且つカバレッジエリアにおける既知の端末に対して干渉協調などの操作を行うことができる。
【００５７】
前記実施形態をより良く理解するために、以下に前記実施形態の好ましい実施形態と関連する図面を参照して詳しく説明する。
【００５８】
好ましい実施形態を詳しく説明する前に、まず、次のようなスモールセルシーンがあると仮定し、図１に示すように、２つのスモールセルが同じ周波数で動作し、マクロセルとスモールセルが異なる周波数または同じ周波数で動作する。太実線の円内がマクロセル（Ｍａｃｒｏ  ｃｅｌｌ）のカバレッジエリアであり、細点線の円内がスモールセル１（Ｓｍａｌｌ  ｃｅｌｌ  １）のカバレッジエリアであり、細実線の円内がスモールセル２（Ｓｍａｌｌ  ｃｅｌｌ  ２）のカバレッジエリアである。同時に２つの端末（ＵＥ１とＵＥ２）があり、その位置が図１に示される。
【００５９】
図３は本発明の一つの例の信号送信方法のフローチャートである。図３に示すように、この例の信号送信方法は、以下のステップを含む。
【００６０】
ステップ３０１において、スモールセルは、カバレッジエリアにおける端末の接続状況と容量需要に応じて深休眠状態に入るかどうかを決定する。
【００６１】
図１における端末１と端末２がスモールセル１のカバレッジエリアになく、スモールセル２のカバレッジエリアにあり、そしてスモールセル２によってサービングされる。スモールセル１は、管轄内に端末が接続されないことを検出し、一定の時間カウントした後、カウント状況に基づいて当該統計周期内にずっと端末が接続されずに、サービスが送信されないことを確定して、深休眠状態に入ることを決定でき、サービス送信およびチャネル制御を停止する。
【００６２】
ステップ３０２において、スモールセルは、深休眠状態に入った後、長周期および当該長周期に対応する送信パターンで下りリンクＤＳ信号を送信し始める。
【００６３】
深休眠状態に入ることを決定した後、スモールセル１はＤＳ信号を送信し始め、深休眠状態に対応するＤＳ信号周期が長周期に設定されることができ、前記長周期が数百ミリ秒、例えば１００ｍｓであってよい。長周期に設定されたのは、隣セルに対する干渉および電力消費量を考慮するからである。長周期に対応する送信パターンは、最初の１５個のサブフレームにおいて５個のサブフレームごとに３回に分けてＤＳ信号を送信することができ、ＲＢ数は、ＵＥがタイムリーかつ効果的に受信することが可能となる原則に従って設定されることができる。
【００６４】
ステップ３０３において、１番目の端末は、スモールセルから送信されたＤＳ信号を受信し、発見および測定情報を報告し、スモールセルに提供して再活性化するかどうかを決定するようにする。
【００６５】
端末１と端末２がスモールセル２からスモールセル１の方向へ移動して順次スモールセル１のカバレッジエリアに入る場合、端末１は、先にスモールセル１から送信されたＤＳ信号を検出し、発見および測定情報を報告するが、端末２は、まだスモールセル１から送信されたＤＳ信号を検出しない。したがって、スモールセル１は、そのカバレッジエリアに端末１があることを知るが、端末２もあることを知らず、この場合に、端末１と端末２が依然としてスモールセル２によってサービングされる。この場合に、スモールセル１が活性化されると、スモールセル１のＤＳ信号を発見しない端末２に対して強い干渉を引き起こす可能性がある。
【００６６】
ステップ３０４において、１番目の端末から報告された発見および測定情報を受信し、休眠にあるスモールセルを深休眠状態から浅休眠状態に調整し、当該スモールセルを一時的に再活性化しない。
【００６７】
スモールセル１は、端末１から報告された発見および測定情報を受信した後、端末１がそのカバレッジエリアにあることを知るが、端末２もそのカバレッジエリアにあることを知らないので、スモールセル１は、一時的に再活性化されないが、スモールセル１を深休眠状態から浅休眠状態に調整する。
【００６８】
ステップ３０５において、スモールセルは、浅休眠状態に入った後、短周期および当該短周期に対応する送信パターンで下りリンクＤＳ信号を送信する。
【００６９】
浅休眠状態に入ることを決定した後、スモールセル１は、端末２にＤＳ信号ができるだけ速く受信するために、短周期および当該短周期に対応する送信パターンでＤＳ信号を送信し始め、前記短周期が数ミリ秒または数十ミリ秒であってよい。例えば、短周期は、１０ｍｓさらにはより短く設定されてもよい。短周期に対応する送信パターンは、当該周期内で１回送信されることができ、ＲＢ数は、ＵＥがタイムリーかつ効果的に受信することが可能となる原則に従って設定されることができる。
【００７０】
ステップ３０６において、２番目の端末は、スモールセルから送信されたＤＳ信号を受信し、発見および測定情報を報告し、スモールセルに提供して再活性化するかどうかを決定するようにする。
【００７１】
ＤＳ信号が短周期で送信されるので、端末２は、スモールセル１から送信されたＤＳ信号を速やかに受信し、スモールセル１に発見および測定情報を報告し、スモールセルに提供して再活性化するかどうかを決定するようにすることができる。
【００７２】
ステップ３０７において、スモールセルは、２番目の端末から報告された発見および測定情報を受信し、前記情報に基づいて、浅休眠状態から再活性化に移行するかどうかを決定する。
【００７３】
スモールセル１は、端末２から報告された情報を受信した後、そのカバレッジエリアにおけるすべての端末を知り、この場合に端末から報告された情報に基づいて、再活性化するかどうかを決定することができる。
【００７４】
ステップ３０８において、スモールセルは、再活性化された後、端末の測定情報の報告状況に基づいて、端末に対してサービスをスケジューリングおよび送信することができ、且つカバレッジエリアにおける既知の端末に対して干渉協調などの操作を行うことができる。
【００７５】
スモールセルは、活性化された後、ＤＳ信号を送信しない、または短周期および対応する送信パターンでＤＳ信号を送信し、または長周期および対応する送信パターンでＤＳ信号を送信することができる。活性化状態にあるスモールセルがＤＳ信号を送信しない、または長周期でＤＳ信号を送信するのは、主に隣セルへの干渉を避け、電力消費量を低減させるためである。活性化状態にあるスモールセルが短周期でＤＳ信号を送信するのは、主に、端末が迅速に前記スモールセルを発見してそれに切り替えることが可能となるためである。活性化状態にあるスモールセルがどのようにＤＳ信号を送信するかは、システム需要に依存することができる。
【００７６】
図４は本発明に係る信号送信装置の構成構造図である。図４に示すように、本発明に係る信号送信装置は、前記スモールセルの現在の状態に基づいて、対応する送信モードで発見（ＤＳ）信号を送信するように構成される送信ユニット４０を含む。
【００７７】
前記送信モードは、送信周期および／または送信パターンを含む。
【００７８】
前記送信パターンは、ＤＳ信号を搬送する搬送波情報、前記送信周期内にＤＳ信号を送信するサブフレーム情報を含む。
【００７９】
図４に示す信号送信装置に基づいて、本発明に係る信号送信装置は、
前記スモールセルのＤＳ信号の送信モードを更新するように構成される更新ユニット４１と、
前記スモールセルが活性化状態にある場合、更新されたＤＳ信号の送信モードをマクロセル、または前記スモールセルおよび／または前記スモールセルの隣セルにより端末に通知し、前記スモールセルが非活性化状態にある場合、更新されたＤＳ信号の送信モードをマクロセル、または前記スモールセルの隣セルにより端末に送信するように構成される通知ユニット４２とをさらに含む。
【００８０】
図４に示す信号送信装置に基づいて、本発明に係る信号送信装置は、
前記スモールセルが活性化状態にある場合、ＤＳ信号を送信しない、または短周期および対応する送信パターンでＤＳ新語を送信し、または長周期および対応する送信パターンでＤＳ信号を送信するように前記送信ユニットをトリガするように構成される確定ユニット（図４に示されない）をさらに含む。
【００８１】
または、図４に示す信号送信装置に基づいて、本発明に係る信号送信装置は、
前記スモールセルに現在端末がアクセスすること、または前記スモールセルに現在端末がアクセスせずに、所定期間に端末が複数回アクセスすることを確定した場合、前記スモールセルに活性化状態を維持させるように構成される確定ユニット（図４に示されない）を含むこともできる。
【００８２】
または、図４に示す信号送信装置に基づいて、本発明に係る信号送信装置は、
前記スモールセルが休眠状態にあることを確定した場合、長周期および対応する送信パターンでＤＳ信号を送信するように前記送信ユニットをトリガするように構成される確定ユニット（図４に示されない）を含むこともできる。
【００８３】
前記確定ユニットは、同じ信号送信装置に存在することができ、例えば第一の確定ユニット、第二の確定ユニットおよび第三の確定ユニットにより区分されることができる。
【００８４】
前記スモールセルは、浅休眠状態または活性化状態から深休眠状態に入った場合、長周期および対応する送信パターンでＤＳ信号を送信する。
【００８５】
前記スモールセルは、深休眠状態に入った後、端末から報告されたＤＳ信号発見および測定情報を受信した後、前記スモールセルを深休眠状態から浅休眠状態に変更させ、そして短周期および対応する送信パターンでＤＳ信号を送信する。
【００８６】
図４に示す装置に基づいて、前記装置は、
前記スモールセルが活性化状態にある場合、端末から報告された測定情報に基づいて、自身のカバレッジエリアにおける端末に対してサービススケジューリングおよび干渉協調を行うように構成される協調ユニット（図４に示されない）をさらに含む。
【００８７】
当業者は、図４に示す信号送信装置における各処理ユニットの実現機能が前記信号送信方法およびその実施形態に関連する説明を参照して理解されることができると理解すべきである。当業者は、図４に示す信号送信装置における各処理ユニットの実現機能がプロセッサに運行されるプログラムにより実現されることができ、具体的な論理回路により実現されることもできると理解すべきである。
【００８８】
本発明の実施形態として、前記実施形態の信号送信方法を実行するためのコンピュータプログラムを記憶している記憶媒体が提供される。
【００８９】
明らかに、当業者は、上述した本発明の各モジュールまたは各ステップが汎用計算装置で実現されることができ、それらが１つの計算装置に集中され、または複数の計算装置からなるネットワークに分布されることができ、必要に応じて、それらが計算装置で実行可能なプログラムコードで実現されることができ、それによってそれらを記憶装置に記憶して計算装置によって実行することができ、且つある場合に、これと異なる順番で示されたまたは説明されたステップを実行し、またはそれらをそれぞれ各集積回路モジュールに作成し、またはそれらのうちの複数のモジュールまたはステップを１つの集積回路モジュールに作成することで実現することができると理解すべきである。
【００９０】
上記は、本発明の好ましい実施形態に過ぎなく、本発明の保護範囲を制限することに用いられるものではない。
【産業上の利用可能性】
【００９１】
本発明の実施形態の技術的解決手段において、スモールセルの現在の状態に基づいて発見（ＤＳ）信号の送信モードをタイムリーに調整することで、隣セルに対するスモールセルの干渉を大幅に低減させ、システムの性能を向上させ、スモールセルのエネルギー消費量を低減させることができる。
【図１】
0006703938.tif 000002
【図２】
0006703938.tif 000003
【図３】
0006703938.tif 000004
【図４】
0006703938.tif 000005